(57)【要約】【課題】片手によるロール体の安定的な係脱・保持やペーパーの引き出し及び切断が可能で、ペーパーの切断端の刃先への付着を防止するロール紙ホルダーの提供。【解決手段】ホルダー本体の側壁である左右一対の支持側体に対向して突設されて内向きに付勢弾圧力を伴った大径の支承体を出没自在に保持するとこで、安価で安定的なロール体の保持装置を形成し、切断刃の裏面に弾性変形する弾性凸部材や弾性変形する摩擦部材による弾性凸部材を並設して引き出されたペーパーの張力により押圧変形した弾性凸部材の復元力や揺動板をペーパーの張力による上下揺動作用と揺動板の自重を利用して、ペーパー切断後の刃先に付着するペーパーの切断端を離反させる切断装置を形成する。【選択図】図１
2018038639.tif 000002
【特許請求の範囲】
【請求項１】
ロール体筒芯の開口内縁を、左右の支持側体の内側に対向して突設された一対の支承体の膨出部により弾圧狭持してロール体を係脱可能且つ、回転可能に保持するホルダーにおいて、前記支承体はロール体の直径に近い大径で短寸の中空円筒である軸部の一端に曲率半径の大きな曲面の膨出部を備え、他端には外方向に延出した鍔部が形成されており、少なくとも一方の支持側体の側面に形成された貫通孔に前記軸部が挿通されて出没自在に保持されて、前記鍔部が付勢手段により内側方向に付勢されることでロール体を狭持して回動可能にした保持装置を備えたことを特徴としたロール紙ホルダー。
【請求項２】
前記付勢手段は、前記支持側体に挿入された前記支承体の鍔部と、前記支持側体の外側に位置して前記鍔部を覆う押圧部材の内面との間に、弾圧部材を介在させたことを特徴とした請求項１に記載のロール紙ホルダー。
【請求項３】
前記左右の支持側体の離間距離を、支持側体の螺進退により調整可能にしたことを特徴とした請求項１または請求項２に記載のロール紙ホルダー。
【請求項４】
ロール紙ホルダー本体に保持されたロール体より張力を帯びて引き出されたペーパーが切断可能なロール紙ホルダーにおいて、ロール体の外周面と平行に離間して配設された切断刃に引き出されたペーパーを引接上動して切断する切断装置であって、前記切断刃の裏面に近接して弾性変形部材または弾性変形する摩擦部材による弾性変形凸部材を並設して支持する支持体をホルダー本体に固定し、該弾性変形凸部材の形状を引き出されたペーパー面に押圧されて変形し、引き出されたペーパーが刃先に当接可能な形状となし且つ、引き出されたペーパー面が常に一定の角度で切断刃に当接する誘導手段を前記切断刃とロール体との中途箇所に設けた切断装置を備えたことを特徴としたロール紙ホルダー。
【請求項５】
ロール紙ホルダー本体に保持されたロール体より張力を帯びて引き出されたペーパーが切断可能なロール紙ホルダーにおいて、引き出されたベーパーをロール体の略真下位置に垂下して誘導する二つのガイド棒をロール体の外周面に水平かつ平行位置に離間して左右の支持側体間に架設し、前記ガイド棒の前方の両端部を支点として上下に揺動自在に設けられた先端が下向きのＬ字型の板状の揺動板が、ガイド棒と平行に離間して左右の支持側体間に架設された切断刃を備える切断棒を上面から前面を覆うように切断棒に当接して載置されている切断装置を備えたことを特徴としたロール紙ホルダー。
【発明の詳細な説明】
【技術分野】
【０００１】
本発明は、トイレットペーパーなどのロール紙や不織布等が、ロール巻にされたシート状物を保持するロール紙ホルダーに関するものである。
【背景技術】
【０００２】
ロール紙ホルダーの代表事例であるトイレットペーパーホルダーにおいて述べると、トイレットペーパーの係脱操作を片手によるロール体の前後方向の直線的な往復操作で可能にするホルダーであって、トイレットペーパーの筒芯開口部への支承体による付勢弾圧力により着脱可能且つ、回動可能に弾圧保持することでトイレットペーパーのホルダーへのセットを可能にして、ペーパーの引き出し時におけるロール体の抜去の防止と安定的な保持装置を備えるトイレットペーパーホルダーとして、特許文献１や特許文献２が周知である。また、本発明のロール体の保持装置に限らず張力を帯びたペーパーをノコギリ状の刃先に引接上動して切断した後に、切断端が刃先に付着する現象を解消する装置として、ペーパーの張力を利用してペーパーを刃先より離反させる切断装置を備えるトイレットペーパーホルダーとして、特許文献３や特許文献４が周知である。
【先行技術文献】
【特許文献】
【０００３】
【特許文献１】特開２００６−１４９４２１号公報
【特許文献２】実開昭４８−２０７４２号公報
【特許文献３】特開２０００−０４１８９１号公報
【特許文献４】特開２００３−２４２４１号公報
【発明の概要】
【発明が解決しようとする課題】
【０００４】
ロール体の筒芯開口部への支承体による付勢弾圧力により着脱可能に弾圧保持する技術においての課題は、ロール体の幅寸法やロール体芯筒の内径寸法のメーカーによるバラツキによって発生する支承体間の離間距離の変化に対応して、トイレットペーパーを安定して保持する事にある。上記の特許文献１には、トイレットペーパーを弾圧保持する弾発バネの弾発力により、ペーパーを引き出す時に支承体からロール体の筒芯が妄りに抜去しない程度で、かつ使用済み筒芯を抜去出来る程度に設定すると記載されており、また、使用動作例については、左右の支承体の案内傾斜面でロール体筒芯の外縁をきつく狭持できるとの説明がある（特許文献１参照）が、構造が複雑で製造コストに問題がある。
【０００５】
特許文献２のホルダーにおいては、ロール体の幅に多少の変化があっても、支承体をロール体側に弾性付勢する保持ユニット間の離間距離を調整可能にすることで、支障なくトイレットペーパーを保持するとの説明がある。しかしながら、支承体の膨出部外側面は可及的に先狭まり状に形成されており、筒芯の内径寸法のバラツキに対する配慮が無く、筒芯の内径寸法によってはロール体の係入不能になったりロール体に過度な回動抵抗が与えられてペーパーの引き出し途中に破断したり、ロール体の回動が不安定であったり支承体から抜去する虞がある。さらには、膨出部が尖っている形状であるのでロール体の係脱時の擦過摩擦が大きく操作性が良くない。
【０００６】
また、本発明により付随して生ずるペーパーの切断端の刃先への付着防止の技術においては、特許文献３に明示されているロール紙ホルダーは、ホルダー本体に切断刃を備える回動可能に軸支された延出部の裏面に弾性部材を設け、引き出したペーパー面が挟持されて生ずる張力を利用して、ペーパーの切断と同時に押圧される弾性部材の復元力によりペーパーの付着を防止するとされているが、ペーパーを引き出した時にペーパー面に生ずる摩擦による張力では弱くペーパーの切断や弾性部材の押圧が十分に行われない虞がある。
【０００７】
また、特許文献４に明示されているロール紙ホルダーにおいては、カバー板の先端部にカッターとカッターに付着したペーパーを離反させる湾曲変形部材を併設して、ペーパーカッター板の端部がロール体の外周面を常に押しつけながらロール体の回動を制限して引き出されるペーパーに張力を付与し、その張力により湾曲変形部材を湾曲させながら切断した後で、湾曲変形部材の復元によりペーパーの付着を防止するとされているが、ロール紙の残量が少なくなるにつれて引き出されたペーパー面に対する刃先の角度が変化して、ペーパー面が刃先に当接せずにペーパーが正常に切断されないでカバー板が浮上する虞がある。
【０００８】
本発明は、かかる事情に鑑みてなされたものであり、トイレットペーパーを安定的に保持し、引き出されたペーパーに適切な張力を付与することが可能なロール紙ホルダーと、その張力によりペーパーの切断端の刃先への付着を防止する安価な切断装置を備えて、片手によるロール体の着脱とペーパーの引き出し・切断を可能し、ホルダー本体に一切触れる必要がなく感染症対策に有効で衛生的なロール紙ホルダーであり、ロール体の係脱操作が前後の往復運動により行うことが可能であり、垂下されたペーパー端の引き出し方向も手前方向への取り出しが可能となるので、ロール紙ホルダーの取付けを壁体内への埋設や三角コーナー棚下への垂設が可能となり、トイレ等の狭小空間に取り付けても邪魔にならず安全で美観的にスッキリした空間としての効果があるロール紙ホルダーを提供するものである。
【課題を解決するための手段】
【０００９】
上記目的を達成するために、請求項１のロール紙ホルダーは、ロール体筒芯の開口内縁を、左右の支持側体の内側に対向して突設された一対の支承体の膨出部により弾圧狭持してロール体を係脱可能且つ、回転可能に保持するホルダーにおいて、前記支承体はロール体の直径に近い大径で短寸の中空円筒である軸部の一端に曲率半径の大きな曲面の膨出部を備え、他端には外方向に延出した鍔部が形成されており、少なくとも一方の支持側体の側面に形成された貫通孔に前記軸部が挿通されて出没自在に保持されて、前記鍔部が付勢手段により内側方向に付勢されることでロール体を狭持して回動可能に保持する保持装置を備えたことを特徴とする。
【００１０】
請求項２のロール紙ホルダーの前記付勢手段は、請求項１に記載のロール紙ホルダーの前記支持側体に挿入された前記支承体の鍔部と、前記支持側体の外側に位置して前記鍔部を覆う押圧部材の内面との間に、弾圧部材を介在させたことを特徴とする。
【００１１】
請求項３のロール紙ホルダーは、請求項１または請求項２に記載のロール紙ホルダーの保持装置を構成する前記左右の支持側体の離間距離を、支持側体の螺進退により調整可能にしたことを特徴とする。
【００１２】
請求項４のロール紙ホルダーは、ホルダー本体に保持されたロール体より張力を帯びて引き出されたペーパーが切断可能なロール紙ホルダーにおいて、ロール体の外周面と平行に離間して配設された切断刃に引き出されたペーパーを引接上動して切断する切断装置であって、前記切断刃の裏面に近接して弾性変形部材または弾性変形する摩擦部材による弾性変形凸部材を並設して支持する支持体をホルダー本体に固定し、該弾性変形凸部材の形状を引き出されたペーパー面に押圧されて変形し、引き出されたペーパーが刃先に当接可能な形状となし且つ、引き出されたペーパー面が常に一定の角度で切断刃に当接する誘導手段を前記切断刃とロール体との中途箇所に設けた切断装置を備えたことを特徴としたロール紙ホルダー。
【００１３】
請求項５のロール紙ホルダーは、ホルダー本体に保持されたロール体より張力を帯びて引き出されたペーパーが切断可能なロール紙ホルダーにおいて、引き出されたベーパーをロール体の略真下位置に垂下して誘導する二つのガイド棒をロール体の外周面に水平かつ平行位置に離間して左右の支持側体間に架設し、前記ガイド棒の前方の両端部を支点として上下に揺動自在に設けられた先端が下向きのＬ字型の板状の揺動板が、ガイド棒と平行に離間して左右の支持側体間に架設されて切断刃を備える切断棒を上面から前面を覆うように切断棒に当接して載置されている切断装置を備えたことを特徴としたロール紙ホルダー。
【発明の効果】
【００１４】
この発明は、以上のような手段を採用したので、以下に記載の効果を奏する。本発明における請求項１によれば、支承体の膨出部及び軸部を大径且つ、ロール体のロール体筒芯の開口内縁を弾圧狭持する膨出部の曲率半径を大きくしたことで、ロール体の膨出部への係入時において、支承体の出没する移動距離を減少することが出来るので、ロール体の幅や筒芯内径の寸法バラツキによる変化による挟持力への影響が少なくなり、ロール体をより安定して挟持することが可能となる。また、膨出部の傾斜がロール体を膨出部の頂部位置への誘導する役割を果たしており係入作業がスムーズに行える。
【００１５】
本発明における請求項２によれば、大きな鍔部の平面とそれを覆うカバーの内面との間に、弾性部材を介在させることで、支承体の出没を多くの支点で支持しているので出没する支承体の傾動が抑制され、従来発明にみられる支承体の出没摩擦抵抗が殆んど発生することなくスムーズにロール体の係脱を行うことが出来、安価で部品点数の少ない付勢手段となる。
【００１６】
本発明における請求項３によれば、支承体間の離間距離を調節可能にすることで、市場に流通しているロールペーパーの幅や筒芯の内寸がＪＩＳ規格外であっても対応が出来ると共に、支承体によるロール体への挟持力の調節が可能となるのでロール体の係脱をスムーズに行えるし、張力の調節も可能となるのでロールペーパーの紙質による中途破断の防止可能となり、より使い勝手の良いロール紙ホルダーとなる。
【００１７】
本発明における請求項４によれば、切断刃の裏面に近接した位置に切断刃の高さ以上の弾性変形凸部材を、切断刃の長手方向の一部または全部に並設することで、ペーパーが切断された後に圧縮された弾性変形凸部材の復元力により刃先に付着したペーパーの切断端が離反し付着するのを解消され、弾性変形する摩擦部材を配設した場合は、摩擦部材の頂部と引き出されたペーパーとの擦過摩擦が生じてより強くペーパーに張力が付与されることでペーパーの切断がより安定的に行える。また、誘導手段はロールペーパーの残量が変化してもペーパー面が弾性変形凸部材の頂部を押圧した後に、刃先と当接する角度を常に一定にすると同時に、ペーパーの屈折位置と凸部材の頂部と刃先との位置関係を非直線的に配置することで、ペーパーが引き出されながら誘導手段の表面との擦過摩擦が生じ、ペーパーにより強い張力が付与されてペーパーの切断が安定的に行える。さらには、次の摘み代が確保されているのでペーパーの摘まみ出しが容易になる。
【００１８】
本発明における請求項５によれば、ペーパーを引き出す時に出し入れする手指を切断刃からの危険防止をすると共に、摘み代を確保しながら揺動板や突出片の自重により強制的にペーパーの切断端を刃先から離反させて付着するのを防ぐ。
【図面の簡単な説明】
【００１９】
【図１】本発明の第一実施例にロール体を装填した状態を示す斜視図である。
【図２】第一実施例のロール紙ホルダーの切断平面図である。
【図３】第一実施例にロール体を装填した状態を示す縦断側面図である。
【図４】第二実施例にロール体を装填した状態を示す斜視図である。
【図５】第二実施例にロール体を装填した状態を示す縦断側面である。
【図６】第三実施例にロール体を装填した状態を示す斜視図である。
【図７】第三実施例にロール体を装填した状態を示す縦断側面図である。
【図８】第四実施例のロール紙ホルダーの切断平面図である。
【図９】第五実施例の斜視図である。
【図１０】第五実施例のロール紙ホルダーの切断平面図である。
【図１１】第五実施例にロール体を装填した状態を示す横断側面である。
【図１２】第六実施例にロール体を装填した状態を示す縦断側面である。
【図１３】第七実施例にロール体を装填した状態を示す縦断側面である。
【発明を実施するための形態】
【００２０】
以下、本発明に係るロール体Ｒの保持装置やペーパーＰの切断装置の構造を備えるロール紙ホルダーを図面に基づいて説明する。初めに、保持装置の構造を図１〜図３で説明すると、ホルダー本体２は、前面が開口する矩形の箱体であり、左右の側壁を支持側体３・３’となし、ロール体Ｒを挟持する支承体８を出没自在に保持する貫通孔１０が支持側体３・３’に穿設されている。また、底壁にはロール体Ｒの挿脱の為の凹部が形成されている。
【００２１】
支承体８は、膨出部１１と軸部１２と鍔部１３からなっており、軸部１２はロール体Ｒの直径に近い大径であって短寸の中空円筒状であり、軸部１２の一端を曲率半径の大きい曲面に形成した膨出部１１となし、軸部１２の他端には端部より外方向に延出した鍔部１３が一体に形成されている。
【００２２】
押圧部材４の形状は中空円筒の一端にフランジを備えており、貫通孔１０に挿入された支承体８の鍔部１３を覆って支持側体３・３’の外面に固着されている。押圧部材４の内面には鍔部１３の表面と対向する位置に、弾圧部材９である円環状のスポンジが貼着されており、常に鍔部１３を押圧した状態で支承体８を内側方向に付勢している。尚、弾圧部材９の形状については、円環状のスポンジを均等に三分割以上に分かれた円弧状であってもよい。
【００２３】
つぎに、本発明である張力を帯びて引き出されたペーパーＰの切断装置Ａの構造を図１・図３で説明すると、断面視が略逆Ｕ字型状の支持体５は、二つの側壁と底壁により形成されており、前側の側壁はやや手前方向に傾斜し裏面には切断刃６の刃先が突出して固着されており、後側の側壁との間にある空間には底壁の裏面から弾性凸部材７が垂設されている。また、後側の側壁の高さはペーパー面が弾性変形凸部材７を押圧した後に刃先と当接する角度を一定にして案内する高さとなっている。支持体５の底壁の一部は、ホルダー本体２の天板裏面の前縁よりはみ出した状態で固着されており、このはみ出し量により摘み代の長さを設定することができる。
【００２４】
さらに、本発明である張力を帯びて引き出されたペーパーＰのもう一つの切断装置Ｂの構造を図６・図７で説明すると、本発明の保持装置を備えたホルダー本体３２に保持されたロール体Ｒの外周面に沿った略真下位置に二つの丸棒状のガイド棒３４・３４’が水平かつ平行に離間して左右の支持側体３３・３３’間に架設固定されて間隙が形成されており、ペーパーＰの巻方向に囚われず間隙より垂下されているベーパーＰをホルダー本体の前後方向の略中央に位置するべく誘導している。
【００２５】
前方のガイド棒３４と水平かつ平行に離間して支持側体３３・３３’の前側にノコギリ状の切断刃６と切断棒３５が一体にして架設固定されており、その切断棒３５を上から覆うようにガイド棒３４の両端を支点として板状の揺動板３６が揺動自在に軸支されており、その揺動板３６の先端は下向きの逆Ｌ字型に形成され、常時は切断刃６を覆うように切断棒３５に当接して載置されている。揺動板３６の裏面には引き出されたペーパーＰと当接する突出片３７が突設され、張力を付与されたベーパーＰが引き出されて切断刃６に引接上動時に突出片３７に当接しながら揺動板３６が浮上した後にベーパーＰが切断され、切断後のペーパーの摘み代が形成されると同時に突出片３７と揺動板３６の自重で落下することで、強制的にペーパーＰの切断端辺が刃先に付着するのを防ぐと共に、待機時の揺動板３６が切断棒３５と切断刃６を覆って隠しているので出し入れする手指に対して安全な構造となっている。
【００２６】
これからは、本発明の保持装置や公知の保持装置と、本発明の切断装置Ａや切断装置Ｂとの様々な組み合わせによるロール紙ホルダーの実施例の構成と使用動作を説明する。はじめに、実施例１のロール紙ホルダー１を図１〜図３で説明すると、略矩形の箱体であるロール紙ホルダー１の上部位置に本発明の切断装置Ａが配設され、この切断装置Ａの下方位置に本発明の保持装置が配設されており、壁面への取り付けや壁内への埋設によって使用する構造となっている。
【００２７】
使用動作について説明すると、片手でロール体Ｒを斜め下方位置より押し込みながらロール体筒芯の開口部を支承体８の弾撥力に抗して膨出部１１に擦過させながら係入することで、膨出頂部とロール体Ｒ筒芯の開口とが係合してロール体Ｒがセットされる。次に、垂下状態にあるペーパーＰ先端を摘まみ張力を感じながら使用する長さに略水平よりやや下方に引き出した状態からペーパーを引き上げることで、ペーパー面が弾性変形凸部材７の頂部を押圧しながら切断刃６と当接して切断される。この時に、刃先に付着したペーパーＰの切断端辺が弾性変形凸部材７の復元力により離反して、切断端辺が垂下した状態で摘み代が形成されている。
【００２８】
実施例２のロール紙ホルダー２１を図２・図４・図５で説明すると、実施例１の切断装置Ａと保持装置の配置が上下逆転しており、壁面への取り付けや棚下への垂設によって使用する構造となっている。本考案の保持装置を備えたホルダー本体２２に保持されロール体Ｒに平行で斜め前方下方向の位置に断面視が三角形筒状の案内筒(支持体)２４が左右の支持側体３・３’に架設されており、傾斜面の下端部より垂下されたペーパーが引き出されて屈折する位置を一定にし、水平面の前側の端部近傍には切断刃６と切断刃６の裏面に近接して弾性変形凸部材７が切断刃６の丈を超える高さで並設されている。また、垂下されたペーパーの誘導を補助する阻止板２５が本ホルダー２２の底部に案内筒(支持体)２４を臨む位置に離間して立設されている。
【００２９】
使用動作について説明すると、ロール体Ｒを持ちながらペーパーＰ先端を案内筒(支持体)２４と阻止板２５との間に形成された間隙に挿通して垂下状態にして、ロール体Ｒをホルダー本体２２の前面から膨出部１１に誘導されながら奥方向に押し込み、ロール体Ｒの筒芯開口部を支承体８の弾撥力に抗して膨出部１１に擦過させながら係入する。つぎに、摘まみ代を摘まんでやや下方に引き出した後に、ペーパー面を刃先に引接上動して切断する。
【００３０】
実施例３のロール紙ホルダー３１を図６・図７で説明すると、略矩形の箱体であるロール紙ホルダー３１の上部位置に本発明の保持装置が配設されており、その下部位置に本発明のもう一つの切断装置Ｂが配設されており、壁面への取り付けや棚下への垂設によって使用する構造となっている。
【００３１】
ホルダー本体３２の形状は実施例２と略同一であり、保持装置は実施例１・２と同一であり、切断装置Ｂは図６で示した位置に配設されている。使用動作は、実施例２で説明した同様の方法でロール体Ｒを係入し、二本のガイド棒３４・３４’の間隙に挿通して先端を垂下させた状態から、先端を摘まみペーパーＰを引き出しながら蒲鉾状の突出片３７に当接しながら揺動板３６を引き上げた後に切断刃６に引接上動して切断した後は、突出片３７と揺動板３６の自重により切断端が切断刃６から離反して次の摘み代が形成される。
【００３２】
次に実施例４について図８で説明すると、実施例１〜３に使用されている保持装置を請求項３に基づいて実施したロール紙ホルダー４１の切断平面図であり、一方の支承体８を貫通孔１０に挿入した状態で支持側体４３に固着し、他方の支承体８を付勢手段でロール体Ｒを挟持する保持ユニット４６を、他方の支持側体４４に貫通孔１０より大径に穿設されたネジ孔４５に設けられた雌ネジとの螺合により、支承体８・８間の離間距離を調整可能にしている。保持円筒４７の外周には凸状円環４８と雄ネジ４９が設けられ、内側に位置する開口縁からは中心方向にフランジが延設され、外側に位置する開口には段差部が設けられている。保持ユニット４６は、保持円筒４７に支承体８を挿入の後に裏面に鍔部１３を押圧する弾性部材９が貼着された押圧板４０を段差部に固着して形成されている
【００３３】
使用動作について説明すると、ホルダー本体４２の適宜位置に螺合された保持ユニット４６の支承体８とホルダー本体４２に固着された支承体８との間にロール体Ｒを係入の後に、ペーパーＰを引き出す時の張力を調整するべく凸状円環４８を摘まみながら回動して支承体８・８間の離間距離を調節する。その他の操作は実施例１〜３と同様に行えばよい。
【００３４】
次に実施例５のロール紙ホルダー５１を図９〜図１１で説明すると、保持装置は実施例４と同様な構造となっており、ホルダー本体５２は有低の中空円筒で開口部近傍の外周壁には雌ネジが設けられてネジ付き蓋５７（支持側体）が螺合されている。ネジ付き蓋５７（支持側体）の中央部分には段差付きの貫通孔６０が穿設されており、貫通孔６０に保持円筒５８・押圧板５９を挿入固着して前述の実施例４とほぼ同様な構成で蓋ユニット５６を形成する。
【００３５】
次に切断装置Ａについて説明すると、ホルダー本体５２の外周壁に軸心方向に平行な長方形の開口５３が設けられており、支持体である湾曲した開閉蓋５５（支持体）が開口５３の縁部から開口５３を覆い開閉自在に軸支されている。開閉蓋５５（支持体）には、裏面の先端部近傍に切断刃６と弾性変形凸部材７が並設されており、使用時は開方向にト―ションバネにより付勢されて所定の位置で開状態となっている。ホルダー本体５２の内面には、開口５３を塞ぐ湾曲した案内板５４が固着されており、この案内板５４には二箇所のスリットが形成されており、一つはペーパーＰの引き出し口としてのスリットで引き出されたペーパーＰ面の切断刃に対する当接角度を一定にしており、もう一つは開閉蓋５５（支持体）の閉蓋時に切断刃６と弾性変形凸部材７がホルダー本体５２の内部に没入可能なスリットが形成されており、開閉蓋５５（支持体）はスナップフィット（不図示）により閉止される。
【００３６】
使用動作について説明すると、開閉蓋５５と蓋ユニット５６を開蓋し、ロール体Ｒの一方の開口を固定された支承体８に載置しながらペーパーＰの先端を引き出し用のスリットに挿通した後に、蓋ユニット５６側の支承体８でロール体Ｒのもう一方の開口を押圧しながらホルダー本体５２に螺着する。その後のセッティングについては前述の実施例１とほぼ同様であるが、相違点は支承体８・８間の離間距離を調節する図８の凸状円環４８に替えて蓋ユニット５６の回動により螺進退を行う点であり、他については省略する。
【００３７】
本ロール紙ホルダー５１の安定手段として押圧板５９を厚くしたり、押圧板５９の裏面に錘(不図示)を配設して重心を低くすることで、机や作業台に縦置きして片手によるペーパーの切断が可能となる。このように、使用方法および場所が限定されない使い勝手の良い携帯使用も可能なロール紙ホルダーを提供することが出来る。
【００３８】
つぎに、実施例６・７のロール紙ホルダーの保持装置は、共にホルダー本体の上方または横方の開口より落とし込まれたロール体ＲをＶ字状の載置板に載置して、引き出されるペーパーに張力を付加する公知の技術であるので説明を省略する。
【００３９】
実施例６のロール紙ホルダーを図１２で説明すると、ロール紙ホルダー６１は上面が開口する有低の四角筒のホルダー本体６２の開口を覆う開閉蓋６３が係合してスナップフィット（不図示）により閉止されて略直方体形状の箱で形成されており、切断装置Ａは開閉蓋６３の前面壁より引き出されるペーパーＰの取り出し口６６が切り欠かれており、この取り出し口６６の上部位置の前面壁より支持板６４（支持体）突設されており、切断刃６とスポンジからなる弾性変形凸部材７が先端部近傍に並んで垂設されている。また、ホルダー本体６２の前面壁の開口縁より逆Ｌ状の案内板６５の水平面が内方向に延設されており、引き出されたペーパーＰ面の切断刃に対する当接角度を一定にしている。
【００４０】
使用動作について説明すると、開閉蓋６３を開けペーパーＰを引き出したロール体Ｒを載置板６７に載置し、ペーパーＰの先端を案内板６５の表面に載置しながらホルダー本体６２の外に垂下させた後に、開閉蓋６３を閉止してセット完了となる。切断操作については、ペーパーＰの先端を摘まんで張力を感じながら水平よりやや下方向に必要な長さを引き出し、そのまま先端を上方に持ち上げることでスポンジの頂部との摺動摩擦によりペーパーＰの張力が増大されながら頂部が押圧されてペーパーＰ面が切断刃６６の刃先と当接しながら切断され、切断後は圧縮された弾性変形凸部材７の復元力により切断刃６の刃先に付着したペーパーＰの先端が離反して摘み代が形成される。
【００４１】
実施例７のロール紙ホルダーを図１３で説明すると、保持装置および切断装置Ａによる構成は、実施例６のロール紙ホルダー６１と同一な構成を採用しているが、それぞれの装置の配置が上下逆転しており、前面壁が開口した箱体であるホルダー本体７２は、開口した上半分を逆『く』の字に屈折した開閉蓋７４で覆いロール体Ｒの交換口としている。また、前面の中央付近の位置に断面視が略三角形状の支持体である案内筒７５（支持体）が左右の支持側体７３に架設されており、前面の下半分は垂下されているペーパーＰの引き出し口となっている。
【００４２】
この案内筒７５（支持体）の頂部と開閉蓋７４を開閉自在にヒンジ連結（不図示）し、案内筒７５（支持体）の後側の傾斜部分と開閉蓋７４の屈折した部分が一体となりロール体Ｒを載置するＶ字状の受け部分の一方を形成しており、他方の受け部分は、載置板７６がホルダー本体７２の背壁の中央の高さ位置から下方に傾斜して底壁に立設された阻止版７７に支持されており、断面視がＶ字状に形成された谷部分にペーパーＰが挿通可能なスリット７８が設けられている。また、案内筒７４（支持体）の平面部分の前面側の端部近傍には切断刃６と弾性凸部材７が垂設されている。
【００４３】
使用動作について説明すると、開閉蓋７４を開けた後にロール体ＲよりペーパーＰを引き出して端部をスリット７８に挿通して垂下させながらロール体Ｒを載置して閉蓋する。つぎに、端部を摘まみながら水平よりやや下方に引き出し適宜の長さに達した時点で弾性凸部材７を押圧しながら、刃先に引接上動して切断すると切断端が切断刃６より離反して摘み代が形成される。
【００４４】
以上、本発明の好適な実施形態について説明したが、本発明は上記実施形態に限定されないことは言うまでもない。たとえば、保持装置から生ずるペーパーＰへの張力の不足による切断不能の虞がある場合は、切断装置Ａの誘導手段である支持体や案内板とペーパーＰ面とが当接する表面に擦過摩擦加工を施して張力の増大を図っても良い。また、実施例２・３のロール紙ホルダーをユニットバス内で使用する場合のシャワーなどの水滴防止対策として、ホルダー本体の前面に開閉扉を付設しても良い。
【符号の説明】
【００４５】
１  実施例１のロール紙ホルダー
２  ホルダー本体
３・３’  支持側体
４  押圧部材
５  支持体
６  切断刃
７  弾性変形凸部材
８  支承体
９  弾圧部材
１０  貫通孔
２１  実施例２のロール紙ホルダー
２４  案内筒（支持体）
２５  阻止板
３１  実施例３のロール紙ホルダー
３４・３４’  ガイド棒
３５  切断棒
３６  揺動板
３７  突出片
４１  実施例４のロール紙ホルダー
４３  支持側体
４４  支持側体
４５  ネジ孔
４６  保持ユニット
４７  保持円筒
４８  凸状円環
４９  雄ネジ
５１  実施例５のロール紙ホルダー
５３  開口
５４  案内板
５５  開閉蓋（支持体）
５６  蓋ユニット
５７  ネジ付き蓋（支持側体）
５８  保持円筒
６１  実施例６のロール紙ホルダー
６３  開閉蓋
６４  支持板（支持体）
６５  案内板
７１  実施例７のロール紙ホルダー
７４  開閉蓋
７５  案内筒（支持体）
Ａ  保持装置
Ｂ  保持装置
Ｒ  ロール体
Ｐ  ペーパー
【図１】
2018038639.tif 000003
【図２】
2018038639.tif 000004
【図３】
2018038639.tif 000005
【図４】
2018038639.tif 000006
【図５】
2018038639.tif 000007
【図６】
2018038639.tif 000008
【図７】
2018038639.tif 000009
【図８】
2018038639.tif 000010
【図９】
2018038639.tif 000011
【図１０】
2018038639.tif 000012
【図１１】
2018038639.tif 000013
【図１２】
2018038639.tif 000014
【図１３】
2018038639.tif 000015